(57)【要約】  無線通信システムにおいて、基地局のセクタによって電力制御されているアクセス端末間における逆方向リンクの干渉を制御するために、装置および方法が与えられる。実施形態では、最大有効雑音電力スペクトル密度が所定の閾値よりも高いときは、アクセス端末間における干渉を最小化するために、アクセス端末に、それらのデータレートを低減することを知らせる逆方向アクティビティビット(ＲＡＢ)をセットすることによって、逆方向リンクのローディングのレベルを制御するパラメータとして、最大有効雑音電力スペクトル密度を使用する。【選択図】    図２
2007525915.tif 000002
【特許請求の範囲】
【請求項１】
基地局のセクタによって電力制御されているアクセス端末に、アクセス端末から基地局への逆方向リンク通信におけるデータレートを変更するように指示する方法であって、
熱雑音電力スペクトル密度(Ｎ０)と、セクタによって電力制御されているアクセス端末の少なくとも幾つかのパイロットチャネルを除く全チャネルのチップエネルギ（Ｅｃ）の和とによる、アクセス端末の１つ（ｉ）のためのアクセスネットワークにおける有効雑音電力スペクトル密度(Ｎｔ，ｉ，ｅｆｆｅｃｔｉｖｅ)を判断することと、
アクセス端末間における最大有効雑音電力スペクトル密度(Ｎｔ，ｍａｘ，ｅｆｆｅｃｔｉｖｅ)を判断することと、
セクタによって電力制御されているアクセス端末の全てに、最大有効雑音電力スペクトル密度に基づいてデータレートを変更することを知らせる逆方向アクティビティビット(reverse activity bit, RAB)を判断することとを含む方法。
【請求項２】
アクセス端末の何れが相当なロードをセクタに与えるかを判断するステップをさらに含む請求項１記載の方法。
【請求項３】
アクセス端末の何れが相当なロードをセクタに与えるかを判断するステップが、セクタがアクセス端末によるアクティブな組に含まれるかどうかを判断するステップを含む請求項２記載の方法。
【請求項４】
アクセス端末の何れが相当なロードをセクタに与えるかを判断するステップが、アクセス端末のための１本のアンテナ当りのパイロットチップエネルギと有効雑音電力スペクトル密度とのフィルタにかけられた比（Ｅｃｐ／Ｎｔ）を計算するステップをさらに含む請求項３記載の方法。
【請求項５】
アクセス端末の何れが相当なロードをセクタに与えるかを判断するステップが、
アクセス端末の1本のアンテナ当りのＥｃｐ／Ｎｔが、所定の設定点よりも、所定のオフセットを超えるだけ低いかどうかを判断するステップと、
アクセス端末の1本のアンテナ当りのＥｃｐ／Ｎｔが、所定の設定点よりも、所定のオフセットを超えるだけ低いときは、アクセス端末を無視するステップとを含む請求項４記載の方法。
【請求項６】
最大有効雑音電力スペクトル密度(Ｎｔ，ｍａｘ，ｅｆｆｅｃｔｉｖｅ)を判断するステップが、最大有効雑音電力スペクトル密度と熱雑音電力スペクトル密度との比(Ｎｔ，ｍａｘ，ｅｆｆｅｃｔｉｖｅ／Ｎ０)を計算するステップを含む請求項１記載の方法。
【請求項７】
セクタによって電力制御されているアクセス端末の全てにデータレートを変更することを知らせる逆方向アクティビティビット(ＲＡＢ)を判断するステップが、Ｎｔ，ｍａｘ，ｅｆｆｅｃｔｉｖｅ／Ｎ０が、所定のＮｔ，ｍａｘ，ｅｆｆｅｃｔｉｖｅ／Ｎ０の閾値よりも大きいときは、ＲＡＢを１にセットするステップを含む請求項６記載の方法。
【請求項８】
セクタによって電力制御されているアクセス端末の全てにデータレートを変更することを知らせる逆方向アクティビティビット(ＲＡＢ)を判断するステップが、熱による上昇（rise-over-thermal, ROT）比が、所定のＲＯＴの閾値よりも大きいときは、Ｎｔ，ｍａｘ，ｅｆｆｅｃｔｉｖｅ／Ｎ０が、所定のＮｔ，ｍａｘ，ｅｆｆｅｃｔｉｖｅ／Ｎ０の閾値よりも大きいかどうかにかかわらず、ＲＡＢを１にセットするステップを含む請求項１記載の方法。
【請求項９】
セクタによって電力制御されている１つのアクセス端末のみがアクティブであるかどうかを判断するステップと、
セクタによって電力制御されている１つのアクセス端末のみがアクティブであり、熱による上昇（ＲＯＴ）比が、所定のＲＯＴの閾値よりも小さいときは、ＲＡＢを０にセットするステップとをさらに含む請求項１記載の方法。
【請求項１０】
基地局のセクタによって電力制御されているアクセス端末に、アクセス端末から基地局への逆方向リンク通信におけるデータレートを変更するように指示する方法であって、
アクセス端末の何れが相当なロードをセクタに与えるかを判断することと、
相当なロードをセクタに与えるアクセス端末間における最大雑音電力スペクトル密度(Ｎｔ，ｍａｘ)を判断することと、
セクタによって電力制御されているアクセス端末の全てに、最大雑音電力スペクトル密度に基づいてデータレートを変更することを知らせる逆方向アクティビティビット(ＲＡＢ)を判断することとを含む方法。
【請求項１１】
アクセス端末の何れが相当なロードをセクタに与えるかを判断するステップが、セクタがアクセス端末によるアクティブな組に含まれるかどうかを判断するステップを含む請求項１０記載の方法。
【請求項１２】
アクセス端末の何れが相当なロードをセクタに与えるかを判断するステップが、アクセス端末のための１本のアンテナ当りのパイロットチップエネルギと有効雑音電力スペクトル密度とのフィルタにかけられた比（Ｅｃｐ／Ｎｔ）を計算するステップをさらに含む請求項１１記載の方法。
【請求項１３】
アクセス端末の何れが相当なロードをセクタに与えるかを判断するステップが、
アクセス端末の1本のアンテナ当りのＥｃｐ／Ｎｔが、所定の設定点よりも、所定のオフセットを超えるだけ低いかどうかを判断するステップと、
アクセス端末の1本のアンテナ当りのＥｃｐ／Ｎｔが、所定の設定点よりも、所定のオフセットを超えるだけ低いときは、アクセス端末を無視するステップとを含む請求項１２記載の方法。
【請求項１４】
アクセス端末の何れが相当なロードをセクタに与えるかを判断するステップが、
アクセス端末のデータ要求チャネルロック(data request channel lock, DRCLock)が、アンセットされているかどうかを判断するステップと、
アクセス端末のＤＲＣＬｏｃｋがアンセットされているときは、アクセス端末を無視するステップとを含む請求項１０記載の方法。
【請求項１５】
アクセス端末の何れが相当なロードをセクタに与えるかを判断するステップが、
アクセス端末から基地局へのフィルタにかけられた経路損失が所定の閾値よりも高いかどうかを判断するステップと、
アクセス端末から基地局へのフィルタにかけられた経路の損失が、所定の閾値よりも高いときは、アクセス端末を無視するステップとを含む請求項１０記載の方法。
【請求項１６】
最大雑音電力スペクトル密度(Ｎｔ，ｍａｘ)を判断するステップが、
相当なロードをセクタに与えるアクセス端末間における最小チップエネルギ(Ｅｃ，ｍｉｎ)を判断するステップと、
基地局における総受信電力スペクトル密度(Ｉ０)を判断するステップと、
Ｉ０からＥｃ，ｍｉｎを減算することによって、最大雑音電力スペクトル密度を計算するステップとを含む請求項１０記載の方法。
【請求項１７】
最大雑音電力スペクトル密度(Ｎｔ，ｍａｘ)を判断するステップが、最大雑音電力スペクトル密度と熱雑音電力スペクトル密度との比(Ｎｔ，ｍａｘ／Ｎ０)を計算するステップをさらに含む請求項１６記載の方法。
【請求項１８】
セクタによって電力制御されているアクセス端末の全てにデータレートを変更することを知らせる逆方向アクティビティビット(ＲＡＢ)を判断するステップが、Ｎｔ，ｍａｘ／Ｎ０が所定の閾値よりも大きいときは、ＲＡＢを１にセットするステップを含む請求項１７記載の方法。
【請求項１９】
セクタによって電力制御されているアクセス端末の全てにデータレートを変更することを知らせる逆方向アクティビティビット(ＲＡＢ)を判断するステップが、熱による上昇（ＲＯＴ）比が所定のＲＯＴの閾値よりも大きいときは、ＲＡＢを１にセットするステップを含む請求項１０記載の方法。
【請求項２０】
セクタによって電力制御されている１つのアクセス端末のみがアクティブであるかどうかを判断するステップと、
セクタによって電力制御されている１つのアクセス端末のみがアクティブであるときは、ＲＡＢを０にセットするステップとをさらに含む請求項１０記載の方法。
【請求項２１】
熱雑音電力スペクトル密度(Ｎ０)と、基地局のセクタによって電力制御されているアクセス端末の少なくとも幾つかのパイロットチャネルを除く全チャネルのチップエネルギ（Ｅｃ）の和とによる、アクセス端末の１つ（ｉ）のための有効雑音電力スペクトル密度(Ｎｔ，ｉ，ｅｆｆｅｃｔｉｖｅ)を判断する手段と、
アクセス端末間における最大有効雑音電力スペクトル密度(Ｎｔ，ｍａｘ，ｅｆｆｅｃｔｉｖｅ)を判断する手段と、
セクタによって電力制御されているアクセス端末の全てに、最大有効雑音電力スペクトル密度に基づいてデータレートを変更することを知らせる逆方向アクティビティビット(ＲＡＢ)を判断する手段とを含む基地局装置。
【請求項２２】
アクセス端末の何れが相当なロードをセクタに与えるかを判断する手段をさらに含む請求項２１記載の装置。
【請求項２３】
アクセス端末の何れが相当なロードをセクタに与えるかを判断する手段が、セクタがアクセス端末によるアクティブな組に含まれるかどうかを判断する手段を含む請求項２２記載の装置。
【請求項２４】
アクセス端末の何れが相当なロードをセクタに与えるかを判断する手段が、アクセス端末のための１本のアンテナ当りのパイロットチップエネルギと有効雑音電力スペクトル密度とのフィルタにかけられた比（Ｅｃｐ／Ｎｔ）を計算する手段をさらに含む請求項２３記載の装置。
【請求項２５】
アクセス端末の何れが相当なロードをセクタに与えるかを判断する手段が、
アクセス端末の1本のアンテナ当りのＥｃｐ／Ｎｔが、所定の設定点よりも、所定のオフセットを超えるだけ低いかどうかを判断する手段と、
アクセス端末の1本のアンテナ当りのＥｃｐ／Ｎｔが、所定の設定点よりも、所定のオフセットを超えるだけ低いときは、アクセス端末を無視する手段とをさらに含む請求項２４記載の装置。
【請求項２６】
最大有効雑音電力スペクトル密度(Ｎｔ，ｍａｘ，ｅｆｆｅｃｔｉｖｅ)を判断する手段が、最大有効雑音電力スペクトル密度と熱雑音電力スペクトル密度との比(Ｎｔ，ｍａｘ，ｅｆｆｅｃｔｉｖｅ／Ｎ０)を計算する手段を含む請求項２１記載の装置。
【請求項２７】
セクタによって電力制御されているアクセス端末の全てにデータレートを変更することを知らせる逆方向アクティビティビット(ＲＡＢ)を判断する手段が、Ｎｔ，ｍａｘ，ｅｆｆｅｃｔｉｖｅ／Ｎ０が所定のＮｔ，ｍａｘ，ｅｆｆｅｃｔｉｖｅ／Ｎ０の閾値よりも大きいときは、ＲＡＢを１にセットする手段を含む請求項２６記載の装置。
【請求項２８】
セクタによって電力制御されているアクセス端末の全てにデータレートを変更することを知らせる逆方向アクティビティビット(ＲＡＢ)を判断する手段が、熱による上昇（ＲＯＴ）比が所定のＲＯＴの閾値よりも大きいときは、Ｎｔ，ｍａｘ，ｅｆｆｅｃｔｉｖｅ／Ｎ０が所定のＮｔ，ｍａｘ，ｅｆｆｅｃｔｉｖｅ／Ｎ０の閾値よりも大きいかどうかにかかわらず、ＲＡＢを１にセットする手段を含む請求項２１記載の装置。
【請求項２９】
セクタによって電力制御されている１つのアクセス端末のみがアクティブであるかどうかを判断する手段と、
セクタによって電力制御されている１つのアクセス端末のみがアクティブであり、熱による上昇（ＲＯＴ）比が所定のＲＯＴの閾値よりも小さいときは、ＲＡＢを０にセットする手段とをさらに含む請求項２１記載の装置。
【請求項３０】
複数のアクセス端末の何れが相当なロードを基地局の所与のセクタに与えるかを判断する手段と、
相当なロードをセクタに与えるアクセス端末間における最大雑音電力スペクトル密度(Ｎｔ，ｍａｘ)を判断する手段と、
セクタによって電力制御されているアクセス端末の全てに、最大雑音電力スペクトル密度に基づいてデータレートを変更することを知らせる逆方向アクティビティビット(ＲＡＢ)を判断する手段とを含む基地局装置。
【請求項３１】
アクセス端末の何れが相当なロードをセクタに与えるかを判断する手段が、セクタがアクセス端末によるアクティブな組に含まれるかどうかを判断する手段を含む請求項３０記載の装置。
【請求項３２】
アクセス端末の何れが相当なロードをセクタに与えるかを判断する手段が、アクセス端末のための１本のアンテナ当りのパイロットチップエネルギと有効雑音電力スペクトル密度とのフィルタにかけられた比（Ｅｃｐ／Ｎｔ）を計算する手段をさらに含む請求項３１記載の装置。
【請求項３３】
アクセス端末の何れが相当なロードをセクタに与えるかを判断する手段が、
アクセス端末の1本のアンテナ当りのＥｃｐ／Ｎｔが、所定の設定点よりも、所定のオフセットを超えるだけ低いかどうかを判断する手段と、
アクセス端末の1本のアンテナ当りのＥｃｐ／Ｎｔが、所定の設定点よりも、所定のオフセットを超えるだけ低いときは、アクセス端末を無視する手段とをさらに含む請求項３２記載の装置。
【請求項３４】
アクセス端末の何れが相当なロードをセクタに与えるかを判断する手段が、
アクセス端末のデータ要求チャネルロック(ＤＲＣＬｏｃｋ)がアンセットされているかどうかを判断する手段と、
アクセス端末のＤＲＣＬｏｃｋがアンセットされているときは、アクセス端末を無視する手段とを含む請求項３０記載の装置。
【請求項３５】
アクセス端末の何れが相当なロードをセクタに与えるかを判断する手段が、
アクセス端末から基地局へのフィルタにかけられた経路損失が所定の閾値よりも高いかどうかを判断する手段と、
アクセス端末から基地局へのフィルタにかけられた経路損失が所定の閾値よりも高いときは、アクセス端末を無視する手段とを含む請求項３０記載の装置。
【請求項３６】
最大雑音電力スペクトル密度(Ｎｔ，ｍａｘ)を判断する手段が、
相当なロードをセクタに与えるアクセス端末間における最小チップエネルギ(Ｅｃ，ｍｉｎ)を判断する手段と、
基地局における総受信電力スペクトル密度(Ｉ０)を判断する手段と、
Ｉ０からＥｃ，ｍｉｎを減算することによって、最大雑音電力スペクトル密度を計算する手段とを含む請求項３０記載の装置。
【請求項３７】
最大雑音電力スペクトル密度(Ｎｔ，ｍａｘ)を判断する手段が、最大雑音電力スペクトル密度と熱雑音電力スペクトル密度との比(Ｎｔ，ｍａｘ／Ｎ０)を計算する手段をさらに含む請求項３６記載の装置。
【請求項３８】
セクタによって電力制御されているアクセス端末の全てにデータレートを変更することを知らせる逆方向アクティビティビット(ＲＡＢ)を判断する手段が、Ｎｔ，ｍａｘ／Ｎ０が所定の閾値よりも大きいときは、ＲＡＢを１にセットする手段を含む請求項３７記載の装置。
【請求項３９】
セクタによって電力制御されているアクセス端末の全てにデータレートを変更することを知らせる逆方向アクティビティビット(ＲＡＢ)を判断する手段が、熱による上昇（ＲＯＴ）比が所定の閾値よりも大きいときは、ＲＡＢを１にセットする手段を含む請求項３０記載の装置。
【請求項４０】
セクタによって電力制御されている１つのアクセス端末のみがアクティブであるかどうかを判断する手段と、
セクタによって電力制御されている１つのアクセス端末のみがアクティブであるときは、ＲＡＢを０にセットする手段とをさらに含む請求項３０記載の装置。
【請求項４１】
基地局のセクタによって電力制御されているアクセス端末に、アクセス端末から基地局への逆方向リンク通信におけるデータレートを変更するように指示する方法を具体化するコンピュータ実行可能命令を含むコンピュータ読み出し可能媒体であって、方法が、
熱雑音電力スペクトル密度(Ｎ０)と、セクタによって電力制御されているアクセス端末の少なくとも幾つかのパイロットチャネルを除く全チャネルのチップエネルギ（Ｅｃ）の和とによる、アクセス端末の１つ（ｉ）のためのアクセスネットワークにおける有効雑音電力スペクトル密度(Ｎｔ，ｉ，ｅｆｆｅｃｔｉｖｅ)を判断することと、
アクセス端末間の最大有効雑音電力スペクトル密度(Ｎｔ，ｍａｘ，ｅｆｆｅｃｔｉｖｅ)を判断することと、
セクタによって電力制御されているアクセス端末の全てに、最大有効雑音電力スペクトル密度に基づいてデータレートを変更することを知らせる逆方向アクティビティビット(ＲＡＢ)を判断することとを含むコンピュータ読み出し可能媒体。
【請求項４２】
方法が、アクセス端末の何れが相当なロードをセクタに与えるかを判断するステップをさらに含む請求項４１記載のコンピュータ読み出し可能媒体。
【請求項４３】
アクセス端末の何れが相当なロードをセクタに与えるかを判断するステップが、セクタがアクセス端末によってアクティブな組に含まれるかどうかを判断するステップを含む請求項４２記載のコンピュータ読み出し可能媒体。
【請求項４４】
アクセス端末の何れが相当なロードをセクタに与えるかを判断するステップが、アクセス端末のための１本のアンテナ当りのパイロットチップエネルギと有効雑音電力スペクトル密度とのフィルタにかけられた比（Ｅｃｐ／Ｎｔ）を計算するステップをさらに含む請求項４３記載のコンピュータ読み出し可能媒体。
【請求項４５】
アクセス端末の何れが相当なロードをセクタに与えるかを判断するステップが、
アクセス端末の1本のアンテナ当りのＥｃｐ／Ｎｔが、所定の設定点よりも、所定のオフセットを超えるだけ低いかどうかを判断するステップと、
アクセス端末の1本のアンテナ当りのＥｃｐ／Ｎｔが、所定の設定点よりも、所定のオフセットを超えるだけ低いときは、アクセス端末を無視するステップとをさらに含む請求項４４記載のコンピュータ読み出し可能媒体。
【請求項４６】
最大有効雑音電力スペクトル密度(Ｎｔ，ｍａｘ，ｅｆｆｅｃｔｉｖｅ)を判断するステップが、最大有効雑音電力スペクトル密度と熱雑音電力スペクトル密度との比(Ｎｔ，ｍａｘ，ｊ／Ｎ０)を計算するステップを含む請求項４１記載のコンピュータ読み出し可能媒体。
【請求項４７】
セクタによって電力制御されているアクセス端末の全てにデータレートを変更することを知らせる逆方向アクティビティビット(ＲＡＢ)を判断するステップが、Ｎｔ，ｍａｘ，ｅｆｆｅｃｔｉｖｅ／Ｎ０が所定のＮｔ，ｍａｘ，ｅｆｆｅｃｔｉｖｅ／Ｎ０の閾値よりも大きいときは、ＲＡＢを１にセットするステップを含む請求項４６記載のコンピュータ読み出し可能媒体。
【請求項４８】
セクタによって電力制御されているアクセス端末の全てにデータレートを変更することを知らせる逆方向アクティビティビット(ＲＡＢ)を判断するステップが、熱による上昇（ＲＯＴ）比が所定のＲＯＴの閾値よりも大きいときは、Ｎｔ，ｍａｘ，ｅｆｆｅｃｔｉｖｅ／Ｎ０が所定のＮｔ，ｍａｘ，ｅｆｆｅｃｔｉｖｅ／Ｎ０の閾値よりも大きいかどうかにかかわらず、ＲＡＢを１にセットするステップを含む請求項４１記載のコンピュータ読み出し可能媒体。
【請求項４９】
方法が、
セクタによって電力制御されている１つのアクセス端末のみがアクティブであるかどうかを判断するステップと、
セクタによって電力制御されている１つのアクセス端末のみがアクティブであり、熱による上昇（ＲＯＴ）比が所定のＲＯＴの閾値よりも小さいときは、ＲＡＢを０にセットするステップとをさらに含む請求項４１記載のコンピュータ読み出し可能媒体。
【請求項５０】
基地局のセクタによって電力制御されているアクセス端末に、アクセス端末から基地局への逆方向リンク通信におけるデータレートを変更するように指示する方法を具体化するコンピュータ読み出し可能命令を含むコンピュータ読み出し可能媒体であって、方法が、
アクセス端末の何れが相当なロードをセクタに与えるかを判断することと、
相当なロードをセクタに与えるアクセス端末間における最大雑音電力スペクトル密度(Ｎｔ，ｍａｘ)を判断することと、
セクタによって電力制御されているアクセス端末の全てに、最大雑音電力スペクトル密度に基づいてデータレートを変更することを知らせる逆方向アクティビティビット(ＲＡＢ)を判断することとを含むコンピュータ読み出し可能媒体。
【請求項５１】
アクセス端末の何れが相当なロードをセクタに与えるかを判断するステップが、セクタがアクセス端末によるアクティブな組に含まれるかどうかを判断するステップを含む請求項５０記載のコンピュータ読み出し可能媒体。
【請求項５２】
アクセス端末の何れが相当なロードをセクタに与えるかを判断するステップが、アクセス端末のための１本のアンテナ当りのパイロットチップエネルギと有効雑音電力スペクトル密度とのフィルタにかけられた比（Ｅｃｐ／Ｎｔ）を計算するステップをさらに含む請求項５１記載のコンピュータ読み出し可能媒体。
【請求項５３】
アクセス端末の何れが相当なロードをセクタに与えるかを判断するステップが、
アクセス端末の1本のアンテナ当りのＥｃｐ／Ｎｔが、所定の設定点よりも、所定のオフセットを超えるだけ低いかどうかを判断するステップと、
アクセス端末の1本のアンテナ当りのＥｃｐ／Ｎｔが、所定の設定点よりも、所定のオフセットを超えるだけ低いときは、アクセス端末を無視するステップとをさらに含む請求項５２記載のコンピュータ読み出し可能媒体。
【請求項５４】
アクセス端末の何れが相当なロードをセクタに与えるかを判断するステップが、
アクセス端末のデータ要求チャネルロック(ＤＲＣＬｏｃｋ)がアンセットされているかどうかを判断するステップと、
アクセス端末のＤＲＣＬｏｃｋがアンセットされているときは、アクセス端末を無視するステップとを含む請求項５０記載のコンピュータ読み出し可能媒体。
【請求項５５】
アクセス端末の何れが相当なロードをセクタに与えるかを判断するステップが、
アクセス端末から基地局へのフィルタにかけられた経路損失が、所定の閾値よりも高いかどうかを判断するステップと、
アクセス端末から基地局へのフィルタにかけられた経路損失が、所定の閾値よりも高いときは、アクセス端末を無視するステップとを含む請求項５０記載のコンピュータ読み出し可能媒体。
【請求項５６】
最大雑音電力スペクトル密度(Ｎｔ，ｍａｘ)を判断するステップが、
相当なロードをセクタに与えるアクセス端末間における最小チップエネルギ(Ｅｃ，ｍｉｎ)を判断するステップと、
基地局における総受信電力スペクトル密度(Ｉ０)を判断するステップと、
Ｉ０からＥｃ，ｍｉｎを減算することによって、最大雑音電力スペクトル密度を計算するステップとを含む請求項５０記載のコンピュータ読み出し可能媒体。
【請求項５７】
最大雑音電力スペクトル密度(Ｎｔ，ｍａｘ)を判断するステップが、最大雑音電力スペクトル密度と熱雑音電力スペクトル密度との比(Ｎｔ，ｍａｘ／Ｎ０)を計算するステップをさらに含む請求項５６記載のコンピュータ読み出し可能媒体。
【請求項５８】
セクタによって電力制御されているアクセス端末の全てにデータレートを変更することを知らせる逆方向アクティビティビット(ＲＡＢ)を判断するステップが、Ｎｔ，ｍａｘ／Ｎ０が所定の閾値よりも大きいときは、ＲＡＢを１にセットするステップを含む請求項５７記載のコンピュータ読み出し可能媒体。
【請求項５９】
セクタによって電力制御されているアクセス端末の全てにデータレートを変更することを知らせる逆方向アクティビティビット(ＲＡＢ)を判断するステップが、熱による上昇（ＲＯＴ）比が所定の閾値よりも大きいときは、ＲＡＢを１にセットするステップを含む請求項５０記載のコンピュータ読み出し可能媒体。
【請求項６０】
方法が、
セクタによって電力制御されている１つのアクセス端末のみがアクティブであるかどうかを判断するステップと、
セクタによって電力制御されている１つのアクセス端末のみがアクティブであるときは、ＲＡＢを０にセットするステップとをさらに含む請求項５０記載のコンピュータ読み出し可能媒体。
【発明の詳細な説明】
【技術分野】
【０００１】
本発明は、概ね、遠隔通信、より具体的には、遠隔通信における逆方向リンク干渉を制御することに関する。
【背景技術】
【０００２】
“第三世代パートナーシッププロジェクト２（３ＧＰＰ２）ＣＤＭＡ２０００高レートパケットデータエアインターフェイス仕様（3rd Generation Partnership Project 2 '3GPP2' CDMA2000 High Rate Packet Data Air Interface Specification）”、すなわち、３ＧＰＰ２ Ｃ.Ｓ００２４バージョン３．０（２００１年１２月５日）にしたがうＣＤＭＡ ２０００ １ｘＥＶ−ＤＯ標準に基づく一般的な遠隔通信ネットワークにおいて、移動局またはアクセス端末から基地局への逆方向リンクのトラヒックのローディングの制御は、熱による上昇（rise-over-thermal, ROT）比として知られているパラメータによって判断される。
【０００３】
ＣＤＭＡ ２０００ １ｘＥＶ−ＤＯシステムの逆方向リンクは、符号分割多重化され（code division multiplexed, CDM）、したがって、干渉が制限される。干渉が制限されたＣＤＭ通信システムにおいて、各アクセス端末の逆方向リンク送信は、他のアクセス端末に対する干渉である。アクセス端末は、他のアクセス端末からの干渉レベルが、より低いときは、より高いデータレートで送信することができる。さらに加えて、アクセス端末の１つが、より高いデータレートで送信するときは、他のアクセス端末は、より高いデータレートで送信しているアクセス端末から、より大きい干渉を経験し得る。
【発明の開示】
【発明が解決しようとする課題】
【０００４】
ＣＤＭネットワークの設計における３つの主要な目標を達成すること、すなわち、基地局の任意の所与のセクタ内においてネットワークの総スループットを最大化すること、安定した逆方向リンクの動作を維持すること、およびネットワークの縁端部における受信可能領域を保証することが望ましい。しかしながら、これらの目標は、相互に対立する傾向があり、これらの目標を同時に達成することは、通常、ネットワーク内のローディングの精密な制御を必要とする。
【０００５】
多くの実際的な状況において、ＲＯＴ比は、セクタのローディングの最良の指標でないことがあり、アクセス端末間における逆方向リンクの干渉を最小化し、一方で無線通信システムにおける適切なデータスループットを与えるために、逆方向リンクのトラヒックのローディングを制御するための唯一のパラメータとして依存され得ない。したがって、無線通信システムにおける逆方向リンクのローディングを制御する新しい方式が、当技術において必要とされている。
【課題を解決するための手段】
【０００６】
本明細書に開示されている実施形態は、最大有効雑音電力スペクトル密度が所定の閾値よりも高いときは、アクセス端末に、それらのデータレートを低減することを知らせる逆方向アクティビティビット（reverse activity bit, RAB）をセットすることによって、逆方向リンクの干渉を制御するパラメータとして、最大有効雑音電力スペクトル密度を使用する装置および方法を実施することによって上述の必要に対処している。
【発明を実施するための最良の形態】
【０００７】
“例示的”という用語は、本明細書において“例、事例、または実例としての役割を果たす”ことを意味するために使用されている。本明細書に記載されている何れの実施形態も、必ずしも、他の実施形態よりも好ましいまたは好都合であると解釈されると限らない。
【０００８】
本明細書においてアクセス端末（access terminal, AT）と呼ばれている高データレート（high data rate, HDR）の加入者局は、移動型であっても、静止型であってもよく、モデムプールトランシーバ（modem pool transceiver, MPT）としても知られている１つ以上のＨＤＲ基地局と通信し得る。アクセス端末は、データパケットを、１つ以上のモデムプールトランシーバを介して、モデムプール制御装置（modem pool controller, MPC）としても知られているＨＤＲ基地局制御装置との間で送受信する。モデムプールトランシーバおよびモデムプール制御装置は、アクセスネットワークと呼ばれるネットワークの一部である。アクセスネットワークは、多数のアクセス端末間でデータパケットを移送する。アクセスネットワークは、企業内イントラネットまたはインターネットのような、アクセスネットワークの外部の追加のネットワークにも接続され、各アクセス端末とこのような外部ネットワークとの間でデータパケットを移送し得る。１つ以上の基地局とアクティブなトラヒックチャネル接続を設定したアクセス端末は、アクティブなアクセス端末と呼ばれ、トラヒック状態であると言われる。１つ以上の基地局とアクティブなトラヒックチャネル接続を設定するプロセス中のアクセス端末は、接続設定状態であると言われる。アクセス端末は、ワイヤレスチャネルを介して、あるいはワイヤードチャネルを介して、例えば、光ファイバまたは同軸ケーブルを使用して、通信するデータデバイスであり得る。アクセス端末は、ＰＣカード、コンパクトフラッシュ（登録商標）、外部または内部モデム、あるいはワイヤレスまたはワイヤーライン電話を含むが、これらに制限されない多数のタイプのデバイスの何れかでもあり得る。アクセス端末が信号を基地局へ送る通信リンクは、逆方向リンクと呼ばれる。基地局が信号をアクセス端末へ送る通信リンクは、順方向リンクと呼ばれる。
【０００９】
例示的な実施形態は、“第三世代パートナーシッププロジェクト２（３ＧＰＰ２）ＣＤＭＡ２０００高レートパケットデータエアインターフェイス仕様（3rd Generation Partnership Project 2 '3GPP2' CDMA2000 High Rate Packet Data Air Interface Specification）”として知られている、ＣＤＭＡ ２０００ １ｘＥＶ−ＤＯ Ｒｅｖ−Ａ標準にしたがう無線通信システムにおける逆方向リンクの干渉の低減に関して、別途記載される。しかしながら、本発明は、種々のタイプのＣＤＭＡ通信システムにおける逆方向リンクの干渉の低減に適用可能である。
【００１０】
図１は、基地局２、基地局２に接続された基地局制御装置４、基地局２と通信している複数のアクセス端末６、８、10、および12を含む無線通信システムの簡素化されたブロック図である。基地局２は、少なくとも１本のアンテナ14、アンテナ14に接続されたトランシーバ16、アクセス端末間における最大有効雑音電力スペクトル密度を計算するための、トランシーバ16に接続されたコンピュータ18、並びに最大有効雑音電力スペクトル密度コンピュータ18およびトランシーバ16に接続された逆方向アクティビティビット（ＲＡＢ）セッタ20を含む。基地局２は、図１には明示的に示されていないが、当業者には知られている通常のＣＤＭＡシステムの種々の他の構成要素も含み得る。
【００１１】
基地局２は、それぞれ、順方向リンク30、32、34、および36を介してアクセス端末６、８、10、および12のアンテナ22、24、26、および28へ信号を送信し、アクセス端末から逆方向リンク38、40、42、および44を介して信号を受信し得る。説明を簡単にするために、図１には、基地局２と関係付けられた１本のみのセクタアンテナ14が示されているが、通常の基地局は、何本かのアンテナをもち、セルの全セクタをカバーし、各セクタは、複数のアクセス端末と同時に通信し得る。さらに加えて、アクセス端末６、８、10、および12の幾つかは、必ずしも同じセクタ内に位置しなくてもよい。基地局の所与のセクタの外部のアクセス端末が、十分に高い電力レベルで送信し、所与のセクタのローディングに相当に寄与し、それによって、アクティブな組内の所与のセクタを含む他のアクセス端末への干渉を増加し得る。基地局は、異なるアンテナによってカバーされている複数のセクタを含むか、または全方向性アンテナによる３６０°の受信可能領域をもつ１つのみのセクタを含み得る。
【００１２】
図２は、本発明にしたがって、最大有効雑音電力スペクトル密度に基づいて、逆方向リンクのローディングを制御する実施形態を示すフローチャートを示している。図２に説明されているように、ブロック50によって示されているように、基地局の所与のセクタによって電力制御されているアクセス端末の各々における有効雑音電力スペクトル密度が判断される。実施形態において、逆方向リンクのローディングの制御は、パイロット干渉の消去（pilot interference cancellation, PIC）を用いない最大雑音スペクトル密度（Ｎｔ，ｍａｘ）を使用することによって達成される。パイロット干渉の消去が実施されないときは、所与のアクセス端末（ｉ）の雑音電力スペクトル密度（Ｎｔ，ｉ）と、熱雑音電力スペクトル密度（Ｎ０）および基地局のセクタのローディングに相当に寄与している他のアクセス端末からの干渉との関係性は、式（１）によって、次のように与えられる。
【数１】
2007525915.tif 000003
【００１３】
ここで、Ｎｔ，ｉは、アクセス端末ｉの雑音電力スペクトル密度であり、Ｉ０は、基地局における総受信電力スペクトル密度であり、Ｅｃ，ｉは、アクセス端末ｉのチップエネルギであり、Ｎ０は、熱雑音電力スペクトル密度であり、Ｅｃｐ，ｊは、アクセス端末ｉ自身以外の別のアクセス端末であるｊ番目のアクセス端末のパイロットチップエネルギであり、Ｅｃ，ｏｖｅｒｈｅａｄ，ｊは、ｊ番目のアクセス端末のオーバーヘッドチャネルのチップエネルギである。実施形態において、オーバーヘッドチャネルは、データ要求チャネル（data request channel, DRC）および確認応答チャネル（acknowledgement channel, ACK）を含む。別の実施形態では、オーバーヘッドチャネルは、逆方向レート指標（reverse rate indicator, RRI）チャネルおよび補助パイロットチャネルも含む。チップエネルギＥｃ，ｏｖｅｒｈｅａｄ，ｊは、全オーバーヘッドチャネルの総チップエネルギである。式（１）において、Ｅｃ，ｔｒａｆ，ｊは、ｊ番目のアクセス端末のトラヒックチャネルのチップエネルギである。したがって、アクセス端末ｉにおける雑音電力スペクトル密度（Ｎｔ，ｉ）は、熱雑音電力スペクトル密度Ｎ０と他のアクセス端末による送信に因る干渉との和であり、他のアクセス端末による送信に因る干渉は、他のアクセス端末のトラヒックチャネル、オーバーヘッドチャネル、およびパイロットチャネルを含むチャネルのチップエネルギの和である。アクセス端末ｉ自体のチャネルのチップエネルギは、アクセス端末ｉにおける雑音電力スペクトル密度Ｎｔ，ｉの計算において考慮されない。
【００１４】
パイロット干渉の消去が基地局において実施されない実施形態では、相当なロードをセクタに与えると考えられるアクセス端末から、最小チップエネルギ（Ｅｃ，ｍｉｎ）をもつアクセス端末が選択され、基地局における総受信電力スペクトル密度（Ｉ０）が測定される。最大雑音電力スペクトル密度（Ｎｔ，ｍａｘ）は、式（２）にしたがって、次のように計算される。
【００１５】
Ｎｔ，ｍａｘ＝Ｉ０−Ｅｃ，ｍｉｎ            （２）
実施形態において、雑音電力スペクトル密度と熱雑音電力スペクトル密度との比（Ｎｔ，ｉ／Ｎ０）は、アクセス端末の各々のために計算される。
【００１６】
別の実施形態において、逆方向リンクのローディングの制御は、パイロット干渉の消去（ＰＩＣ）を用いた最大有効雑音スペクトル密度（Ｎｔ，ｍａｘ，ｅｆｆｅｃｔｉｖｅ）を使用することによって達成される。パイロット干渉の消去が実施されるシステムでは、基地局は、基地局の個々のセクタによって電力制御されているアクセス端末の幾つかまたは全てのパイロットチャネルからの干渉を消去することができるので、アクセス端末によって経験される干渉は、より小さいかもしれない。パイロット干渉の消去を用いると、アクセス端末ｉにおける有効雑音スペクトル密度（Ｎｔ，ｉ，ｅｆｆｅｃｔｉｖｅ）は、式（３）および（４）によって、次のように与えられる。
【数２】
2007525915.tif 000004
【００１７】
ここで、Ａｃは、そのパイロットチャネルが基地局によって消去されることができる１組のアクセス端末の組である。実施形態では、組Ａｃは、基地局の個々のセクタによって電力制御されているアクセス端末の幾つかまたは全てを含む。実施形態では、組Ａｃ内のアクセス端末の全てではないパイロットチャネルが、干渉を消去され、ａｊは、組Ａｃ内の、そのパイロットチャネルが基地局によって消去されるアクセス端末数の一部である。この実施形態では、組Ａｃ内のアクセス端末のＤＲＣチャネル、ＡＣＫチャネル、ＲＲＩチャネル、または補助パイロットチャネルのような、オーバーヘッドチャネルは、基地局によって消去されない。別の実施形態では、基地局によって電力制御されている１つ以上のアクセス端末の１本以上のデータチャネルを含む他の逆方向リンクチャネルを消去することができる。
【００１８】
アクセス端末における有効雑音電力スペクトル密度が判断された後で、図２のブロック52によって示されているように、アクセス端末間において、これらのアクセス端末間の最大有効雑音電力スペクトル密度(Ｎｔ，ｍａｘ，ｅｆｆｅｃｔｉｖｅ)が選択される。実施形態では、最大有効雑音電力スペクトル密度と熱雑音電力スペクトル密度との比(Ｎｔ，ｍａｘ，ｅｆｆｅｃｔｉｖｅ／Ｎ０)が、逆方向アクティビティビット(ＲＡＢ)が１にセットされるべきか、または０にセットされるべきかを判断するためのパラメータとして選択される。
【００１９】
最大有効雑音電力スペクトル密度(Ｎｔ，ｍａｘ，ｅｆｆｅｃｔｉｖｅ)が判断された後で、図２のブロック54によって示されているように、Ｎｔ，ｍａｘ，ｅｆｆｅｃｔｉｖｅが所定の閾値よりも大きいかどうかに依存して、ＲＡＢはセットされる、すなわち、ＲＡＢは１にセットされるか、またはアンセットされる、すなわち、ＲＡＢは０にセットされる。Ｎｔ，ｍａｘ，ｅｆｆｅｃｔｉｖｅが所定の閾値よりも大きいときは、ＲＡＢは１にセットされ、セクタによって電力制御されているアクセス端末の全てに、アクセス端末間における干渉を最小化するために、それらのデータレートを下げて、セクタのローディングを制御することを知らせる。Ｎｔ，ｍａｘ，ｅｆｆｅｃｔｉｖｅが所定の閾値よりも小さいときは、ＲＡＢはアンセットされ、すなわち、ゼロにセットされ、セクタによって電力制御されているアクセス端末の全てに、それらが、セクタのローディングを下げるために、それらのデータレートを低減する必要がないことを示す。実施形態では、最大有効雑音電力スペクトル密度と熱雑音電力スペクトル密度との比(Ｎｔ，ｍａｘ，ｅｆｆｅｃｔｉｖｅ／Ｎ０)は、所定の閾値と比較され、ＲＡＢがセットされるべきか、またはアンセットされるべきかを判断する。
【００２０】
実施形態では、相当なロードをセクタに与えるアクセス端末の有効雑音電力スペクトル密度のみが検討され、一方で、セクタのローディングに寄与しない、またはほとんど寄与しないアクセス端末は、ＲＡＢがセットされるべきか、またはアンセットされるべきかの判断において無視される。実施形態では、アクティブな組内の基地局の所与のセクタを含むアクセス端末のみが、検討のために選択される。検討中のアクセス端末の各々のための１本のアンテナ当りのパイロットチップエネルギと有効雑音電力スペクトル密度とのフィルタにかけられた比(Ｅｃｐ／Ｎｔ)は、当業者に知られているやり方で計算される。次に、これらのアクセス端末の各々における１本のアンテナ当りのフィルタにかけられた比(Ｅｃｐ／Ｎｔ)は、所定の設定点と比較される。個々のアクセス端末のための１本のアンテナ当りのフィルタにかけられた比(Ｅｃｐ／Ｎｔ)が、所定の設定点よりも、所定のオフセット（例えば、２デシベル）を超えるだけ低いときは、アクセス端末はセクタのローディングと無関係であると考えられ、したがって、ＲＡＢがセットされるべきか、またはアンセットされるべきかの判断において無視される。
【００２１】
その代わりに、アクセス端末が相当なロードをセクタに与えるかどうかの判断は、アクセス端末のデータ要求チャネルロック(ＤＲＣＬｏｃｋ)がセットされるか、またはアンセットされるかに基づくことができる。データ要求チャネル(data request channel, DRC)は、ＣＤＭＡ通信の当業者に知られている逆方向リンクチャネルである。アクセス端末のＤＲＣＬｏｃｋがアンセットされているときは、アクセス端末は、セクタのローディングと無関係であると考えられ、したがって、ＲＡＢがセットされるべきか、またはアンセットされるべきかの判断において無視され得る。
【００２２】
またその代わりに、アクセス端末が相当なロードをセクタに与えるかどうかの判断は、アクセス端末から基地局へのフィルタにかけられた逆方向リンクの経路損失に基づくこともある。例えば、アクセス端末の送信電力は、逆方向リンクチャネルの１本を介して基地局へ伝えられることができ、基地局における受信電力は、基地局自体によって直接に測定されることができる。アクセス端末から基地局への逆方向リンクにおけるフィルタにかけられた経路損失は、当業者に知られているやり方で計算されることができる。次に、フィルタにかけられた経路損失は、所定の閾値と比較される。フィルタにかけられた経路損失が、所定の閾値よりも高いときは、アクセス端末は、セクタのローディングと無関係であると考えられ、したがって、ＲＡＢがセットされるべきか、またはアンセットされるべきかの判断において無視される。
【００２３】
実施形態では、隣り合うセクタのオーバーローディングを避けるために、総受信電力スペクトル密度（Ｉ０）と熱雑音電力スペクトル密度(Ｎ０)との比として慣例的に定められている、熱による上昇(ＲＯＴ)比(Ｉ０／Ｎ０)の上位の閾値が、セクタに課される。ＲＯＴ比が、所定の閾値よりも大きいときは、パラメータＮｔ，ｍａｘ，ｅｆｆｅｃｔｉｖｅ／Ｎ０が、ＲＡＢのセッティングをトリガするのに十分に大きいかどうかにかかわらず、ＲＡＢは１にセットされ、セクタによって電力制御されているアクセス端末の全てに、それらのデータレートを下げることを知らせる。
【００２４】
実施形態では、セクタによって電力制御されている１つのアクセス端末のみがアクティブであるとき、ＲＯＴ比が所定の閾値よりも低く、隣り合うセクタへのオーバーローディングを避ける限り、ＲＡＢはアンセットされ、すなわち、ゼロにセットされ、したがって、アクセス端末はそのデータレートを低減する必要はない。
【００２５】
図３は、アクセス端末に、それらの逆方向リンクのデータレートを変更して、アクセス端末間における干渉を制御することを知らせるように、ＲＡＢを判断するプロセスの別の実施形態を示すフローチャートである。図３に示されているように、最初の判断は、ブロック60によって示されているように、何れのアクセス端末が相当なロードをセクタに与えるかに関して行われる。次に、ブロック62によって示されているように、最大有効雑音電力スペクトル密度（Ｎｔ，ｍａｘ，ｅｆｆｅｃｔｉｖｅ）が、相当なロードをセクタに与えると考えられるアクセス端末間において判断される。実施形態では、最大有効雑音電力スペクトル密度と熱雑音電力スペクトル密度との比（Ｎｔ，ｍａｘ，ｅｆｆｅｃｔｉｖｅ／Ｎ０）が計算され、基地局が、セクタによって電力制御されている電力アクセス端末に、セクタのローディングを制御するために、それらのデータレートを低減することを知らせるべきかどうかを判断するためのパラメータとして使用される。
【００２６】
最大有効雑音スペクトル密度（Ｎｔ，ｍａｘ，ｅｆｆｅｃｔｉｖｅ）が判断された後で、図３のブロック64によって示されているように、Ｎｔ，ｍａｘ，ｅｆｆｅｃｔｉｖｅが所定の閾値よりも大きいかどうかに依存して、ＲＡＢはセットされる、すなわちＲＡＢは１にセットされるか、またはアンセットされる、すなわち、ＲＡＢは０にセットされる。Ｎｔ，ｍａｘ，ｅｆｆｅｃｔｉｖｅが所定の閾値よりも大きいときは、ＲＡＢは１にセットされ、セクタによって電力制御されているアクセス端末の全てに、アクセス端末間の干渉を制御するために、それらのデータレートを下げることを知らせる。Ｎｔ，ｍａｘ，ｅｆｆｅｃｔｉｖｅが所定の閾値よりも小さいときは、ＲＡＢはアンセットされ、すなわち、０にセットされ、セクタによって電力制御されているアクセス端末の全てに、それらが、アクセス端末間の干渉を制御するために、それらのデータレートを低減する必要がないことを示す。実施形態では、最大有効雑音電力スペクトル密度と熱雑音電力スペクトル密度との比（Ｎｔ，ｍａｘ，ｅｆｆｅｃｔｉｖｅ／Ｎ０）が、所定の閾値と比較され、ＲＡＢがセットされるべきか、またはアンセットされるべきかを判断する。
【００２７】
実施形態では、アクティブな組内の基地局の所与のセクタを含んでいるアクセス端末のみが、セクタのローディングに相当に寄与し得る潜在的に関係するアクセス端末として、検討のために選択される。検討中のアクセス端末の各々のための１本のアンテナ当りの、パイロットチップエネルギと有効雑音電力スペクトル密度とのフィルタにかけられた比(Ｅｃｐ／Ｎｔ)は、当業者に知られているやり方で計算される。次に、アクセス端末の各々のための１本のアンテナ当りのフィルタにかけられた比(Ｅｃｐ／Ｎｔ)が、所定の設定点と比較される。個々のアクセス端末のための１本のアンテナ当りのフィルタにかけられた比(Ｅｃｐ／Ｎｔ)が、所定の設定点よりも、所定のオフセット（例えば、２デシベル）を超えるだけ低いときは、アクセス端末は、セクタのローディングとは無関係であると考えられ、したがって、ＲＡＢがセットされるべきか、またはアンセットされるべきかの判断において無視される。
【００２８】
その代わりに、アクセス端末が相当なロードをセクタに与えるかどうかの判断は、アクセス端末のデータ要求チャネルロック(ＤＲＣＬｏｃｋ)がセットされるか、またはアンセットされるかに基づくことができる。アクセス端末のＤＲＣＬｏｃｋがアンセットされるときは、アクセス端末は、セクタのローディングと無関係であると考えられ、したがって、ＲＡＢがセットされるべきか、またはアンセットされるべきかの判断において無視され得る。
【００２９】
またその代わりに、アクセス端末が相当なロードをセクタに与えるかどうかの判断は、アクセス端末から基地局へのフィルタにかけられた逆方向リンクの経路損失と、所定の閾値との比較に基づき得る。フィルタにかけられた経路損失が、所定の閾値よりも高いときは、アクセス端末はセクタのローディングと無関係であると考えられ、したがって、ＲＡＢがセットされるべきか、またはアンセットされるべきかの判断において無視される。
【００３０】
実施形態では、隣り合うセクタのオーバーローディングを避けるために、熱による上昇(ＲＯＴ)比（Ｉ０／Ｎ０）の上位の閾値が課される。ＲＯＴ比が所定の閾値よりも大きいときは、Ｎｔ，ｍａｘ，ｅｆｆｅｃｔｉｖｅ／Ｎ０が、ＲＡＢのセッティングをトリガするのに十分に大きいかどうかにかかわらず、ＲＡＢは１にセットされ、セクタによって電力制御されているアクセス端末の全てに、それらのデータレートを下げることを知らせる。
【００３１】
実施形態では、セクタによって電力制御されている１つのアクセス端末のみがアクティブであるときは、ＲＯＴ比が所定の閾値よりも低く、隣り合うセクタへのオーバーローディングを避ける限り、ＲＡＢはアンセットされ、またはゼロにセットされ、したがって、アクセス端末は、そのデータレートを低減する必要はない。
【００３２】
本発明にしたがう装置および方法の種々の実施形態は、ＣＤＭＡ通信システムにおいて、セクタのローディングを制御するためのＲＯＴベースのＲＡＢのセッティングの従来の方式の代わりとして、複雑さを極僅かに追加して、実施され得る。アクセス端末間の干渉を避ける一方で基地局の各セクタのデータスループットにおける利得が達成され得る。
【００３３】
特許請求項の何れかにおけるテキストの順序は、プロセスのステップがそのような順序にしたがって時間的または論理的順番で行われなければならないことを、それが特許請求項の言葉によってとくに定められていないならば、示唆していない。プロセスのステップは、本発明の範囲から逸脱しない何れの順番にも交換され得るが、そのような交換は、特許請求項の言語と矛盾せず、論理上、不合理でないことを条件とする。さらに加えて、“第１”、“第２”、“第３”、等のような序数詞は、単に、複数のものの異なる１つを示し、特許請求項の言葉によってとくに定められていない限り、何れの順番または順序も示唆しない。
【００３４】
さらに加えて、異なる要素間の関係性について記載するのに使用された“接続する（connect）”、“〜に接続された（connected to）”、および“接続（connection）”のような用語は、これらの要素間で直接的な物理的接続が行われなければならないことを示唆していない。例えば、２つの要素は、相互に、物理的に、電子的に、論理的に、または何か他のやり方で、１つ以上の追加の要素を介して、本発明の範囲から逸脱せずに接続され得る。
【００３５】
当業者には、情報および信号が、種々の異なる技術および技法の何れかを使用して表わされ得ることが分かるであろう。例えば、上述全体で参照され得るデータ、命令、コマンド、情報、信号、ビット、シンボル、およびチップは、電圧、電流、電磁波、磁界または磁性粒子、光子、あるいはその任意の組合せによって表わされ得る。
【００３６】
当業者は、本明細書に開示されている実施形態に関連して記載されている種々の例示的な論理ブロック、モジュール、回路、およびアルゴリズムのステップが、電子ハードウェア、コンピュータソフトウェア、または両者の組合せとして実施され得ることも分かるであろう。ハードウェアとソフトウェアとのこの互換性を明白に示すために、種々の例示的な構成要素、ブロック、モジュール、回路、およびステップは、それらの機能性に関して、既に概ね記載された。このような機能性がハードウェアとして実施されるか、またはソフトウェアとして実施されるかは、システム全体に課された個々の用途および設計の制約に依存する。熟練した技能をもつ者は、各個々の用途のために種々のやり方で、記載された機能性を実施し得るが、そのような実施の決定は、本発明の範囲からの逸脱を招くものとして解釈されるべきではない。
【００３７】
本明細書において開示されている実施形態に関連して記載された種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理デバイス、ディスクリートなゲートまたはトランジスタ論理、ディスクリートなハードウェア構成要素、あるいは本明細書に記載されている機能を実行するように設計されたこれらの任意の組合せで実施または実行され得る。汎用プロセッサは、マイクロプロセッサであってもよいが、その代わりに、プロセッサは、従来のプロセッサ、制御装置、マイクロ制御装置、または状態機械であってもよい。プロセッサは、コンピューティングデバイスの組合せ、例えば、１つのＤＳＰと１つのマイクロプロセッサとの組合せ、複数のマイクロプロセッサ、１つ以上のマイクロプロセッサと関連する１つのＤＳＰのコア、または何か他のこのような構成としても実施され得る。
【００３８】
本明細書に開示されている実施形態に関連して記載されている方法またはアルゴリズムのステップは、ハードウェアにおいて、プロセッサによって実行されるソフトウェアモジュールにおいて、または２つの組合せにおいて直接的に具体化され得る。ソフトウェアモジュールは、ランダムアクセスメモリ（random access memory, RAM）、フラッシュメモリ、読み出し専用メモリ（read-only memory, ROM）、消去可能プログラム可能読み出し専用メモリ（erasable programmable read-only memory, EPROM）、電気的消去可能プログラム可能読み出し専用メモリ（electrically erasable programmable read-only memory, EEPROM）、レジスタ、ハードディスク、取り外し可能ディスク、ＣＤ−ＲＯＭ、または当技術において知られている記憶媒体の何か他の形態の中に存在し得る。例示的な記憶媒体はプロセッサに接続され、プロセッサが記憶媒体から情報を読み出し、かつそこへ情報を書き込みことができるようにする。その代りに、記憶媒体は、プロセッサと一体構成であってもよい。プロセッサおよび記憶媒体は、ＡＳＩＣ内に存在し得る。ＡＳＩＣは、無線システムの一部分、例えば、基地局、基地局制御装置、またはアクセス端末内に存在し得る。またその代りに、プロセッサおよび記憶媒体は、通信システムの一部分において、ディスクリートな構成要素として存在し得る。
【００３９】
開示された実施形態のこれまでの記述は、当業者が本発明を作成または使用できるようにするために与えられている。これらの実施形態に対する種々の変更は、当業者には容易に明らかになり、本明細書に定められている一般的な原理は、本発明の意図および範囲から逸脱することなく、他の実施形態に適用され得る。したがって、本発明は、本明細書に示されている実施形態に制限されることを意図されず、本明細書に開示されている原理および新規な特徴に一致する最も幅広い範囲にしたがうことを意図されている。
【図面の簡単な説明】
【００４０】
【図１】本発明の実施形態が実施され得る無線通信システムの単純化されたブロック図。
【図２】本発明にしたがって、最大有効雑音電力スペクトル密度に基づいて、逆方向リンクのローディングを制御する方法におけるプロセスのステップの実施形態を示すフローチャート。
【図３】本発明にしたがって、アクセス端末に、それらのデータレートを変更して、干渉を制御することを知らせるように、逆方向アクティビティビット（ＲＡＢ）をセットする方法におけるプロセスのステップの別の実施形態を示すフローチャート。
【符号の説明】
【００４１】
14,22,24,26,28・・・アンテナ、30,32,34,36・・・順方向リンク、38,40,42,44・・・逆方向リンク。
【図１】
2007525915.tif 000005
【図２】
2007525915.tif 000006
【図３】
2007525915.tif 000007
【国際調査報告】
2007525915.tif 000008
2007525915.tif 000009